(57)【要約】【課題】レバー式コネクタにおいて、レバーのコネクタへの係止を確実に行うことができるとともに、レバーの係止解除の操作が容易であるレバー式コネクタを提供する。【解決手段】コネクタ３とレバー５と第１のロック部１１と第２のロック部１３とを有し、第１のロック部では第１の被係止部１７を第１の係止部１５に係止させるときとは逆方向にレバーを動かすことで係止状態が解除され、第２のロック部には、係止操作部２３が設けられており、第２のロック部は、係止操作部を操作しているときに、第２の被係止部２１を第２の係止部１９に係止させるときとは逆方向にレバーを動かすことで、係止状態が解除されるように構成されているレバー式コネクタ１である。【選択図】図７
2015082452.tif 000002
【特許請求の範囲】
【請求項１】
コネクタと、
前記コネクタに係合し前記コネクタに対して所定の限定運動をするレバーと、
前記コネクタの一方の端部に設けられた第１の係止部と、前記レバーの一方の端部に設けられた第１の被係止部とを備えて構成され、前記レバーが前記所定の限定運動をして所定の位置にきたときに、前記第１の係止部が前記第１の被係止部に係止され、前記レバーを前記コネクタに係止させる第１のロック部と、
前記コネクタの他方の端部に設けられた第２の係止部と、前記レバーの他方の端部に設けられた第２の被係止部とを備えて構成され、前記レバーが前記所定の限定運動をして前記所定の位置にきたときに、前記第２の係止部が前記第２の被係止部に係止され、前記レバーを、前記第１のロック部とともに前記コネクタに係止させる第２のロック部と、
を有し、前記第１のロック部は、前記第１の被係止部を前記第１の係止部に係止させるときとは逆方向に前記レバーを動かすことで、前記第１の被係止部が前記第１の係止部に係止されている状態が解除され、
前記第２のロック部には、係止操作部が設けられており、前記第２のロック部は、係止操作部を操作しているときに、前記第２の被係止部を前記第２の係止部に係止させるときとは逆方向に前記レバーを動かすことで、前記第２の被係止部が前記第２の係止部に係止されている状態が解除されるように構成されていることを特徴とするレバー式コネクタ。
【請求項２】
請求項１に記載のレバー式コネクタにおいて、
前記コネクタは、横方向の寸法の値が縦方向の寸法の値よりも大きい直方体状に形成されており、
前記レバーは、中央部と、この中央部の一方の端部から所定の方向に突出している一方の側部と、前記中央部の他方の端部から前記所定の方向に突出している他方の側部とを備えて構成されており、
前記一方の側部の所定の部位が前記コネクタの横方向の一端部の所定の部位に係合し、前記他方の側部の所定の部位が前記コネクタの横方向の他端部の所定の部位に係合することで、前記コネクタに対して移動自在になっており、
前記第１の被係止部は、前記一方の側部に設けられており、
前記第２の被係止部は、前記他方の側部に設けられていることを特徴とするレバー式コネクタ。
【請求項３】
請求項１または請求項２に記載のレバー式コネクタにおいて、
前記第１の被係止部は、前記レバーに設けられた貫通孔もしくは凹部で構成されており、
前記第１の係止部は、前記コネクタに設けられ、前記第１の被係止部を係止するときに前記第１の被係止部に入り込む凸部で構成されており、
前記第２の被係止部は、前記レバーに設けられた貫通孔もしくは凹部で構成されており、
前記第２の係止部は、前記コネクタに設けられた弾性部とこの弾性部に設けられた係止突起とを備えて構成されており、前記第２の被係止部を係止するときに前記弾性部が弾性変形し、前記第２の被係止部を係止し終えたときには、前記弾性部が復元して前記係止突起が前記第２の被係止部に入り込むように構成されているか、
または、
前記第１の被係止部は、前記コネクタに設けられた貫通孔もしくは凹部で構成されており、
前記第１の係止部は、前記レバーに設けられ、前記第１の被係止部を係止するときに前記第１の被係止部に入り込む凸部で構成されており、
前記第２の被係止部は、前記コネクタに設けられた貫通孔もしくは凹部で構成されており、
前記第２の係止部は、前記レバーに設けられた弾性部とこの弾性部に設けられた係止突起とを備えて構成されており、前記第２の被係止部を係止するときに前記弾性部が弾性変形し、前記第２の被係止部を係止し終えたときには、前記弾性部が復元して前記係止突起が前記第２の被係止部に入り込むように構成されていることを特徴とするレバー式コネクタ。
【発明の詳細な説明】
【技術分野】
【０００１】
本発明は、レバー式コネクタに係り、たとえば、レバーを操作することでコネクタを相手側コネクタに接合するものに関する。
【背景技術】
【０００２】
従来、図１０で示すようなレバー式コネクタ３０１が知られている（たとえば、特許文献１参照）。
【０００３】
レバー式コネクタ３０１は、雌型コネクタハウジング３０３の外壁にレバー３０５が回動自在に取り付けられている。雌型コネクタハウジング３０３の両側壁には、一対の雌側レバー係合ボス３０７が突設されている。また、雌型コネクタハウジング３０３の後端には、コネクタ嵌合時に回動したレバー３０５をロックするレバーロック部３０９が設けられており、このレバーロック部３０９の両側に当り面３１１が立設されている。また、レバー３０５は、レバー係合孔３１３を有する一対のレバー本体３１５と、レバー本体３１５を連結する回動操作部３１７とから構成されている。回動操作部３１７の当接面３１９上のハウジングロック部３２１の両外側に一対のガタ防止用突起３２３が突設されている。
【０００４】
また、レバー式コネクタ３０１では、多数の回路を一括で嵌合するようになっている。すなわち、雌型コネクタハウジング３０３には複数の端子が設けられており、図示しない相手側コネクタにも複数の端子が設けられている。そして、レバー３０５が相手側コネクタにも係合している状態でレバー３０５を回動させると、レバー式コネクタ３０１に相手側コネクタが接合され、雌型コネクタハウジング３０３の各端子のそれぞれと、相手側コネクタの各端子のそれぞれとがお互いに接続されるようになっている。
【先行技術文献】
【特許文献】
【０００５】
【特許文献１】特開２００３−３６９２７号公報
【発明の概要】
【発明が解決しようとする課題】
【０００６】
ところで、従来のレバー式コネクタでは、レバーの中央部にロック部が設けられているので、縦方向の寸法を小さくすることが難しい（低背化が困難である）という問題がある。
【０００７】
そこで、ロック部をレバーの側方に移すことが考えられるが、多数の端子を設置するために横方向の寸法が大きくなっているレバー式コネクタでは、ロック部をレバーの一方の側部にのみ設けると、ロックを設けていない他方の側部のところが半嵌合状態になってしまい、レバーのロック（係止）が不完全になるという問題がある。
【０００８】
また、ロック部をレバーの両側方に設けることにすると、両方のロック部を同時に解除しながらレバーを操作しなければならないので、レバーの解除操作が難しくなるという問題がある。
【０００９】
本発明は、上記問題点に鑑みてなされたものであり、コネクタとこのコネクタに設けられたレバーとを備えたレバー式コネクタにおいて、前記レバーの前記コネクタへの係止（ロック）を確実に行うことができるとともに、前記レバーの係止解除（ロック解除）の操作が容易であるレバー式コネクタを提供することを目的とする。
【課題を解決するための手段】
【００１０】
請求項１に記載の発明は、コネクタと、前記コネクタに係合し前記コネクタに対して所定の限定運動をするレバーと、前記コネクタの一方の端部に設けられた第１の係止部と、前記レバーの一方の端部に設けられた第１の被係止部とを備えて構成され、前記レバーが前記所定の限定運動をして所定の位置にきたときに、前記第１の係止部が前記第１の被係止部に係止され、前記レバーを前記コネクタに係止させる第１のロック部と、前記コネクタの他方の端部に設けられた第２の係止部と、前記レバーの他方の端部に設けられた第２の被係止部とを備えて構成され、前記レバーが前記所定の限定運動をして前記所定の位置にきたときに、前記第２の係止部が前記第２の被係止部に係止され、前記レバーを、前記第１のロック部とともに前記コネクタに係止させる第２のロック部とを有し、前記第１のロック部は、前記第１の被係止部を前記第１の係止部に係止させるときとは逆方向に前記レバーを動かすことで、前記第１の被係止部が前記第１の係止部に係止されている状態が解除され、前記第２のロック部には、係止操作部が設けられており、前記第２のロック部は、係止操作部を操作しているときに、前記第２の被係止部を前記第２の係止部に係止させるときとは逆方向に前記レバーを動かすことで、前記第２の被係止部が前記第２の係止部に係止されている状態が解除されるように構成されているレバー式コネクタである。
【００１１】
請求項２に記載の発明は、請求項１に記載のレバー式コネクタにおいて、前記コネクタは、横方向の寸法の値が縦方向の寸法の値よりも大きい直方体状に形成されており、前記レバーは、中央部と、この中央部の一方の端部から所定の方向に突出している一方の側部と、前記中央部の他方の端部から前記所定の方向に突出している他方の側部とを備えて構成されており、前記一方の側部の所定の部位が前記コネクタの横方向の一端部の所定の部位に係合し、前記他方の側部の所定の部位が前記コネクタの横方向の他端部の所定の部位に係合することで、前記コネクタに対して移動自在になっており、前記第１の被係止部は、前記一方の側部に設けられており、前記第２の被係止部は、前記他方の側部に設けられているレバー式コネクタである。
【００１２】
請求項３に記載の発明は、請求項１または請求項２に記載のレバー式コネクタにおいて、前記第１の被係止部は、前記レバーに設けられた貫通孔もしくは凹部で構成されており、前記第１の係止部は、前記コネクタに設けられ、前記第１の被係止部を係止するときに前記第１の被係止部に入り込む凸部で構成されており、前記第２の被係止部は、前記レバーに設けられた貫通孔もしくは凹部で構成されており、前記第２の係止部は、前記コネクタに設けられた弾性部とこの弾性部に設けられた係止突起とを備えて構成されており、前記第２の被係止部を係止するときに前記弾性部が弾性変形し、前記第２の被係止部を係止し終えたときには、前記弾性部が復元して前記係止突起が前記第２の被係止部に入り込むように構成されているか、または、前記第１の被係止部は、前記コネクタに設けられた貫通孔もしくは凹部で構成されており、前記第１の係止部は、前記レバーに設けられ、前記第１の被係止部を係止するときに前記第１の被係止部に入り込む凸部で構成されており、前記第２の被係止部は、前記コネクタに設けられた貫通孔もしくは凹部で構成されており、前記第２の係止部は、前記レバーに設けられた弾性部とこの弾性部に設けられた係止突起とを備えて構成されており、前記第２の被係止部を係止するときに前記弾性部が弾性変形し、前記第２の被係止部を係止し終えたときには、前記弾性部が復元して前記係止突起が前記第２の被係止部に入り込むように構成されているレバー式コネクタである。
【発明の効果】
【００１３】
本発明によれば、コネクタとこのコネクタに設けられたレバーとを備えたレバー式コネクタにおいて、前記レバーの前記コネクタへの係止（ロック）を確実に行うことができるとともに、前記レバーの係止解除（ロック解除）の操作が容易であるレバー式コネクタを提供することができるという効果を奏する。
【図面の簡単な説明】
【００１４】
【図１】本発明の実施形態に係るレバー式コネクタの概略構成を示す斜視図である。
【図２】本発明の実施形態に係るレバー式コネクタの概略構成を示す斜視図であって、別の角度から見た斜視図である。
【図３】図１におけるＩＩＩ矢視図である。
【図４】図３におけるＩＶ矢視図である。
【図５】図３におけるＶ矢視図である。
【図６】図３におけるＶＩ矢視図である。
【図７】図６におけるＶＩＩ−ＶＩＩ断面を示す図である。
【図８】図７におけるＶＩＩＩ部の拡大図である。
【図９】図７におけるＩＸ部の拡大図である。
【図１０】従来のレバー式コネクタを示す図である。
【発明を実施するための形態】
【００１５】
本発明の実施形態に係るレバー式コネクタ１は、図１等で示すように、コネクタ（たとえばメスコネクタ）３とレバー５とを備えて構成されており、たとえば、レバー５を用いて図示しない相手側コネクタ（たとえばオスコネクタ）をコネクタ３に接合するように構成されている。
【００１６】
また、コネクタ３は、ハウジング７と端子（たとえばメス端子）９とを備えて構成されており、メス端子９がハウジング７内に一体的に設けられている。相手側コネクタも、ハウジングと端子（たとえばオス端子）とを備えて構成されており、オス端子がハウジング内に一体的に設けられている。
【００１７】
コネクタ３に相手側コネクタを接合することで、相手側コネクタのオス端子がコネクタ３のメス端子９に接続されるようになっている。コネクタ３から相手側コネクタを離すことで、相手側コネクタのオス端子がコネクタ３のメス端子９から離れるようになっている。なお、コネクタ３に対する相手側コネクタの位置と姿勢とが所定の関係になっている状態（接合準備完了状態）で、相手側コネクタをコネクタ３に近づく方向に直線的に移動することで、コネクタ３への相手側コネクタの接合がなされるように構成されている。
【００１８】
レバー５は、コネクタ３（ハウジング７）に係合しており、コネクタ３に対して、所定の限定運動を所定の範囲内でするようになっている。たとえば、所定の回動中心軸を回動中心にして、所定の角度だけ回動するようになっている。
【００１９】
相手側コネクタも、レバー５に係合するように構成されている。そして、コネクタ３とレバー５と相手側コネクタとがお互いに係合している状態で、コネクタ３に対するレバー５の所定の限定運動（たとえば、回動）がさなされると、相手側コネクタもコネクタ３やレバー５に対して限定運動をし（たとえば直線的に移動し）、相手側コネクタがコネクタ３に接合され、また、相手側コネクタがコネクタ３から離れるように構成されている。
【００２０】
さらに説明すると、コネクタ３に係合しているレバー５が、限定運動の範囲内で一方の端に位置しており、コネクタ３に対して非接合状態である相手側コネクタにも係合している状態から、限定運動の範囲内で他方の端に向かう方向への移動（回動も含む）をすることで、相手側コネクタがコネクタ３側に移動して、限定運動の範囲内で他方の端もしくはこの近傍まで移動（回動も含む）し終えると、コネクタ３と相手側コネクタとがお互いに接合状態になるように構成されている。
【００２１】
逆に、相手側コネクタがコネクタ３に接合されている状態から、レバー５が、限定運動の範囲内で一方の端に向かう方向への移動（回動も含む）をすることで、相手側コネクタがコネクタ３から離れる側に移動し、限定運動の範囲内で一方の端まで移動し終えると、相手側コネクタがコネクタ３から分離されるように構成されている。
【００２２】
また、レバー式コネクタ１には、第１のロック部（セミロック部）１１と第２のロック部（本ロック部）１３とが設けられている。
【００２３】
第１のロック部１１は、第１の係止部１５と第１の被係止部１７とを備えて構成されている。第１の係止部１５と第１の被係止部１７とは、コネクタ３の一方の端部に設けられている。
【００２４】
そして、コネクタ３（ハウジング７）を固定しておいてレバー５に所定の力を加えることで、レバー５が上記所定の限定運動をして所定の位置（限定運動の範囲内での他端の位置）にきたときに、第１の係止部１５が第１の被係止部１７に係止され、レバー５がコネクタ３（ハウジング７）に係止されるように構成されている。
【００２５】
第２のロック部１３は、第２の係止部１９と第２の被係止部２１とを備えて構成されている。第２の係止部１９と第２の被係止部２１とは、コネクタ３の他方の端部に設けられている。
【００２６】
そして、コネクタ３（ハウジング７）を固定しておいてレバー５に所定の力を加えることで、レバー５が上記の限定運動をして所定の位置（限定運動の範囲内での他端の位置）にきたときに、第２の係止部１９が第２の被係止部２１に係止され、第１のロック部１１とともに、第２のロック部１３が、レバー５をコネクタ３（ハウジング７）に係止するように構成されている。
【００２７】
これらにより、相手側コネクタがコネクタ３に接合され、レバー５の各ロック部１１，１３によって、相手側コネクタとコネクタ３との接合状態がロックされるようになっている。
【００２８】
また、第１のロック部１１は、第１の被係止部１７を第１の係止部１５に係止させるときとは逆方向にレバー５を動かすことで、第１の被係止部１７が第１の係止部１５に係止されている状態が解除されるように構成されている。
【００２９】
第２のロック部１３には、係止操作部２３が設けられている。そして、係止操作部２３を操作しているときに、第２の被係止部２１を第２の係止部１９に係止させるときとは逆方向にレバー５を動かすことで、第２の被係止部２１が第２の係止部１９に係止されている状態が解除されるように構成されている。
【００３０】
第１の被係止部１７を第１の係止部１５に係止させる途中の状態（第１のロック部１１を係止状態にする途中の段階）では、第１の係止部１５、第１の被係止部１７の少なくともいずれかが（レバー５の一部、ハウジング７の一部の少なくともいずれかが）、ハウジング７やレバー５から受ける力によって僅かに弾性変形するようになっている。また、第１の被係止部１７を第１の係止部１５に係止し終えたときには、上記力が無くなり、第１の係止部１５、第１の被係止部１７が復元するようになっている。
【００３１】
第１のロック部１１の係止状態を解除する途中の状態では、第１の被係止部１７を第１の係止部１５に係止させる途中の状態と同様にして、第１の係止部１５、第１の被係止部１７の少なくともいずれかが、ハウジング７やレバー５から受ける力によって僅かに弾性変形するようになっている。また、第１のロック部１１での係止状態が解除されたときには、上記力が無くなり、第１の係止部１５、第１の被係止部１７が復元するようになっている。
【００３２】
これから理解されるように、第１の被係止部１７を第１の係止部１５に係止する途中の状態では、レバー５とハウジング７とに加える力（たとえば、回転モーメント）を、第１の被係止部１７の第１の係止部１５への係止が進むにしたがって次第に大きくする必要がある。また、第１の被係止部１７が第１の係止部１５に係止されている状態からこの係止を解除する途中の状態では、レバー５とハウジング７とに加える力（たとえば、回転モーメント）が、第１の被係止部１７の係止の解除が進むにしたがって、次第に小さくなる。
【００３３】
第２のロック部１３の係止操作部２３は、たとえば、第２の係止部１９に設けられている。
【００３４】
第２の係止部１９を第２の被係止部２１に係止させる途中の状態では、第２の係止部１９や第２の被係止部２１（主に第２の係止部１９）が、レバー５から受ける力によって弾性変形するようになっている。また、第２の被係止部２１を第２の係止部１９に係止し終えたときには、上記力が無くなり、第２の係止部１９が復元するようになっている。
【００３５】
第２のロック部１３の係止状態を解除するときには、係止操作部２３に所定の力を加えて第２の係止部１９を弾性変形させることで、第２の係止部１９による第２の被係止部２１の係止が解除されるようになっている。そして、第２の係止部１９が弾性変形して第２の係止部１９による第２の被係止部２１の係止が解除されていれば、レバー５を動かすことができるようになっている。
【００３６】
これから理解されるように、第２の被係止部２１を第２の係止部１９に係止する途中の状態では、レバー５とハウジング７とに加える力（たとえば、回転モーメント）を、第２の被係止部２１の第２の係止部１９への係止が進むにしたがって次第に大きくする必要がある。一方、第２の被係止部２１が第２の係止部１９に係止されている状態からこの係止を解除する途中の状態では、レバー５とハウジング７とに加える力（たとえば、回転モーメント）が、ほぼ一定の小さな値になる。係止操作部２３に別途加えられた力によって第２の係止部１９がすでに弾性変形しているので、レバー５で第２の係止部１９を弾性変形させる必要が無いからである。
【００３７】
ここで、空間における所定の一方向を前後方向とし、この前後方向に対して直交する所定の一方向を横方向とし、前後方向と横方向とに対して直交する所定の一方向を縦方向とする。
【００３８】
コネクタ３（ハウジング７）やレバー式コネクタ１は、図３で示すように、横方向の寸法の値Ｂ１が縦方向の寸法の値Ｈ１よりも（たとえば２倍〜３倍程度）大きい直方体状に形成されている。
【００３９】
コネクタ３の前後方向の寸法の値は、縦方向の寸法の値と同程度になっている。コネクタ３のハウジング７には、メス端子９を収容して設置するための端子収容室（キャビティ）２５が縦方向と横方向とに所定の間隔をあけならんで設けられている。前後方向の後方から各キャビティ２５のそれぞれにメス端子９が挿入されて設置されるようになっている。
【００４０】
レバー５は、中央部２７と、この中央部２７の一方の端部から所定の方向に突出している一方の側部２９と、中央部２７の他方の端部から上記所定の方向に突出している他方の側部３１とを備えて構成されており、「Ｕ」字状に形成されている。
【００４１】
一方の側部２９の所定の部位がコネクタ３（ハウジング７）の横方向一端部の所定の部位に係合し、他方の側部３１の所定の部位がコネクタ３（ハウジング７）の横方向他端部の所定の部位に係合することで、レバー５がコネクタ３に対して回動自在になっている。
【００４２】
コネクタ３は、この横方向でレバー５の各側部２９，３１によって挟まれている。第１の被係止部１７は、レバー５の一方の側部２９に設けられており、第１の係止部１５は、コネクタ３（ハウジング７）の横方向の一端部に設けられており、第２の被係止部２１は、レバー５の他方の側部３１に設けられており、第２の係止部１９は、コネクタ３（ハウジング７）の横方向の他端部に設けられている。
【００４３】
各ロック部１１，１３のロック状態（各被係止部１７，２１のそれぞれが各係止部１５，１９のそれぞれに形成されている状態）では、レバー式コネクタ１が直方体状になっている。より詳細には、各ロック部１１，１３がロック状態になっているレバー式コネクタ１を前後方向から見ると、長方形状になっており、長方形の２つの長辺のうちの一方の長辺がレバー５の中央部２７の輪郭の一部で形成されており、長方形の２つの長辺のうちの他方の長辺がコネクタ３（ハウジング７）の輪郭の一部で形成されており、長方形の２つの短辺のうちの一方の短辺がレバー５の一方の側部２９の輪郭の一部で形成されており、長方形の２つの短辺のうちの他方の短辺がレバー５の他方の側部３１の輪郭の一部で形成されている。
【００４４】
また、第１の被係止部１７は、レバー５に設けられた貫通孔（凹部でもよい）３３で構成されており、第１の係止部１５は、コネクタ３（ハウジング７）に設けられた凸部（突起）３５で構成されている。そして、第１の被係止部１７を係止するとき第１の係止部１５（凸部３５）が第１の被係止部１７（貫通孔３３）に入り込むように構成されている（図７、図８参照）。
【００４５】
第２の被係止部２１は、レバー５に設けられた貫通孔（凹部でもよい）３７で構成されており、第２の係止部１９は、コネクタ３（ハウジング７）に設けられた弾性部（たとえば、弾性アーム部）３９と、弾性部３９に設けられた係止突起４１と、弾性部３９に設けられた係止操作部２３とを備えて構成されている。
【００４６】
そして、第２の被係止部２１を係止するときに（係止する途中の状態では）、弾性部３９が弾性変形し、第２の被係止部２１を係止し終えたときには、弾性部３９が復元して係止突起４１（第２の係止部１９）が第２の被係止部２１（貫通孔３７）に入り込むように構成されている。
【００４７】
第２の被係止部２１が第２の係止部１９に係止されている状態の解除は、係止操作部２３を操作して弾性部３９を弾性変形させ、係止突起４１を第２の被係止部２１から抜くようにしてなされるようになっている。
【００４８】
レバー式コネクタ１等についてさらに詳しく説明する。
【００４９】
コネクタ３のハウジング７、レバー５、相手側コネクタのハウジングは、合成樹脂等の絶縁性の材料で構成されており、コネクタ３のメス端子９、相手側コネクタのオス端子は、金属等の導電性の材料で構成されている。
【００５０】
コネクタ３のハウジング７は、上述したように直方体状に形成されており、メス端子９が収容されて設置されるキャビティ２５が、前後方向に延び、縦横方向にならんでも設けられている。相手側コネクタは、コネクタ３の前側からコネクタ３に接合されるようになっており、前側で開口しているキャビティ２５に相手側コネクタのオス端子が挿入されて、キャビティ２５に設置されているメス端子９に接続されるようになっている。
【００５１】
コネクタ３のハウジング７には、一対の突起（レバー５が係合する突起）４３が設けられている。一対の突起のうちの一方の突起４３は、横方向におけるハウジング７の一方の端面の中央部で一方の端面から突出している。一対の突起のうちの他方の突起４３は、横方向におけるハウジング７の他方の端面の中央部で他方の端面から突出している。２つの突起４３は、中心面（コネクタ３の中心を含み横方向に対して直交する平面）に対して対称に配置されている。
【００５２】
第１の係止部１５は、四角錐台等の錐台状に形成された突起３５で構成されている。突起３５は、横方向におけるハウジング７の一方の端面から突出している。また、突起３５は、前後方向では上述した突起４３とほぼ同じところに位置しており、縦方向では、一端部のところに位置している。
【００５３】
第２の係止部１９は、上述したように、弾性部３９と係止突起４１と係止操作部２３とを備えて構成されており、中心面（コネクタ３の中心を含み横方向に対して直交する平面）に対して、第１の係止部１５とほぼ対称に配置されている。
【００５４】
弾性部３９は、片持ち梁状に形成されており、コネクタ３のハウジング７から突出している。係止突起４１は、弾性部３９の先端に形成されている。また、係止操作部２３は、たとえば、係止突起４１と兼用されている。
【００５５】
なお、突起４３、突起３５、弾性部３９、係止突起４１、係止操作部２３は、ハウジング７とともに一体成形されている。
【００５６】
レバー５の各側部２９，３１のそれぞれには、貫通孔４７が設けられている。各貫通孔４７は、中心面（レバー５の中心を含み横方向に対して直交する平面）に対してお互いがほぼ対称に配置されている。
【００５７】
各貫通孔４７のそれぞれにハウジング７の各突起４３のそれぞれが入り込むことで、図５や図６等で示す回動中心軸（横方向に延びている中心軸）Ｃ１を回動中心にして、レバー５がコネクタ３に対して回動するようになっている。
【００５８】
なお、図５や図６等で示す状態では、各ロック部１１，１３はロック状態にあり、レバー５は、図５で示す状態から、中心軸Ｃ１を中心にして、反時計まわりに所定の角度（たとえば９０°程度）回動するようになっている。
【００５９】
第１の被係止部１７は、一方の側部２９に設けられた貫通孔３３で構成されている。第１のロック部１１は、貫通孔３３にコネクタ３の凸部３５が嵌合状態で入り込むことでロック状態になるように構成されている。
【００６０】
第２の被係止部２１は、他方の側部３１に設けられた貫通孔３７で構成されている。貫通孔３３と貫通孔３７とは、中心面に対してお互いがほぼ対称に配置されている。第２のロック部１３は、貫通孔３７にコネクタ３の係止突起４１が嵌合状態で入り込むことでロック状態になるように構成されている。
【００６１】
なお、レバー５の他方の側部３１には、貫通孔３７を囲むようにして凹部４９が形成されている。凹部４９は、他方の側部３１の外側の面から内側（中央部２７側）に凹んでおり、人の指先が入る程度の大きさになっている。
【００６２】
そして、凹部４９に指先を入れて、図９の上側に係止操作部２３を押して弾性部３９を上方に弾性変形させ係止突起４１を貫通孔３７から抜くことで、第２のロック部１３のロック状態が解除されるようになっている。
【００６３】
また、レバー５の各側部２９、３１には、図示しない細長いカム溝（貫通孔でもよい）が形成されており、これらのカム溝のそれぞれに相手側コネクタの各突起（カム突起）のそれぞれが入り込んで係合することで、コネクタ３とレバー５と相手側コネクタとがお互いに限定運動をするように構成されている。
【００６４】
すなわち、レバー５がテコになっており、レバー５を小さな力で適宜回動することで、コネクタ３と相手側コネクタとの接合・分離が大きな力でなされるようになっている。
【００６５】
次に、レバー式コネクタ１の動作を説明する。
【００６６】
初期状態では、相手側コネクタがコネクタ３から離れており、コネクタ３に対する相手側コネクタの位置と姿勢とが所定の関係になっている状態（接合準備完了状態）でレバー５がコネクタ３と相手側コネクタとに係合している。
【００６７】
上記初期状態で、レバー５の中央部２７を持ってレバー５を所定の方向に回動すると、相手側コネクタがコネクタ３に接合されるとともに、各ロック部１１，１３がロック状態になり（図５〜図９等参照）、レバー５がコネクタ３と一体化し回動しない状態になる。
【００６８】
相手側コネクタがコネクタ３に接合されている状態を解除するには、レバー５の凹部４９に指先を入れて、図９の上側に係止操作部２３を押して弾性部３９を上方に弾性変形させ係止突起４１を貫通孔３７から抜く。
【００６９】
この係止突起４１が貫通孔３７から抜けている状態を維持したまま、レバー５を逆方向に所定の角度回動する。
【００７０】
レバー式コネクタ１によれば、コネクタ３やレバー５の一方の端部に第１の係止部１５や第１の被係止部１７が設けられており、コネクタ３やレバー５の他方の端部に第２の係止部１９や第２の被係止部２１が設けられているので、レバー５のコネクタ３への係止を確実に行うことができるとともに、低背化（縦方向の寸法Ｈ１を小さくすること）が可能になる。
【００７１】
また、第１のロック部１１では、第１の被係止部１７を第１の係止部１５に係止させるときとは逆方向にレバー５を動かすだけで、第１の被係止部１７が第１の係止部１５に係止されている状態が解除されるよう構成されており、第２のロック部１３では、係止操作部２３を操作していることに加えて第２の被係止部２１を第２の係止部１９に係止させるときとは逆方向にレバー５を動かすことで、第２の被係止部２１が第２の係止部１９に係止されている状態が解除されるように構成されているので、レバー５の係止解除の操作を１つの係止操作部２３を操作するだけで行うことができ、レバー５の係止解除の操作が容易になる。
【００７２】
また、レバー式コネクタ１によれば、コネクタ３が横方向の寸法の値が縦方向の寸法の値よりも大きい直方体状に形成されており、レバー５が「Ｕ」字状に形成されており、第１の被係止部１７が、レバー５の一方の側部３１に設けられており、第２の被係止部２１がレバー５の他方の側部３３に設けられているので、レバー式コネクタ１の一層の低背化をはかることができ、レバー５を横方向の両端部でバランス良くコネクタ３に係止する（ロック状態にする）ことができる。
【００７３】
また、レバー式コネクタ１によれば、第１の被係止部１７がレバー５に設けられた貫通孔３３で構成されており、第１の係止部１５がコネクタ３に設けられた凸部３５で構成されており、第２の被係止部２１がレバー５に設けられた貫通孔３３で構成されており、第２の係止部１９が、コネクタ３に設けられた弾性部３９とこの弾性部３９に設けられた係止突起４１とを備えて構成されているので、各ロック部１１，１３の構成が簡素化されているにもかかわらず、レバー５のコネクタ３への係止を確実に行うことができる。
【００７４】
ところで、レバー式コネクタ１において、前記第１の被係止部がコネクタ（ハウジング）に設けられた貫通孔もしくは凹部で構成されており、前記第１の係止部が前記レバーに設けられ、前記第１の被係止部を係止するときに前記第１の被係止部に入り込む凸部で構成されていてもよい。
【００７５】
さらに、レバー式コネクタ１において、前記第２の被係止部が前記コネクタ（ハウジング）に設けられた貫通孔もしくは凹部で構成されており、前記第２の係止部が前記レバーに設けられた弾性部とこの弾性部に設けられた係止突起と前記弾性部に設けられた係止操作部とを備えて構成されており、前記第２の被係止部を係止するときに（係止する途中の状態では）前記弾性部が弾性変形し、前記第２の被係止部を係止し終えたときには、前記弾性部が復元して前記係止突起が前記第２の被係止部に入り込むように構成されていてもよい。
【符号の説明】
【００７６】
１  レバー式コネクタ
３  コネクタ
５  レバー
１１  第１のロック部
１３  第２のロック部
１５  第１の係止部
１７  第１の被係止部
１９  第２の係止部
２１  第２の被係止部
２７  中央部
２９  一方の側部
３１  他方の側部
３３  貫通孔
３５  凸部
３７  貫通孔
３９  弾性部
４１  係止突起
【図１】
2015082452.tif 000003
【図２】
2015082452.tif 000004
【図３】
2015082452.tif 000005
【図４】
2015082452.tif 000006
【図５】
2015082452.tif 000007
【図６】
2015082452.tif 000008
【図７】
2015082452.tif 000009
【図８】
2015082452.tif 000010
【図９】
2015082452.tif 000011
【図１０】
2015082452.tif 000012